【手続補正書】
【提出日】平成17年12月26日(2005.12.26)
【手続補正１】
【補正対象書類名】明細書
【補正対象項目名】特許請求の範囲
【補正方法】変更
【補正の内容】
【特許請求の範囲】
【請求項１】  デジタルテレビジョン放送またはデジタル音声放送の受信信号の復調出力について、クロック信号の供給を受けて誤り訂正および復号処理を実施する誤り訂正／復号ブロックを備え、該誤り訂正／復号ブロックは、複数階層化されたＴＳ（Ｔｒａｎｓｐｏｒｔ  Ｓｔｒｅａｍ）パケットを各階層毎に分類して再生するＴＳパケット再生手段を有するデジタル放送受信装置であって、
前記ＴＳパケット再生手段は、再生するＴＳパケットが時間調整用のＴＳヌル（無効）パケットである場合には、該パケットを示すヌルＴＳ信号を出力し、
前記誤り訂正／復号ブロックにおける前記ＴＳパケット再生手段よりも後段の少なくとも一つの回路部で使用されるクロック信号の供給経路上に設置され、前記ヌルＴＳ信号を受信した場合、クロック信号の供給を停止するクロック信号供給停止手段
を備えることを特徴とするデジタル放送受信装置。
【請求項２】  前記誤り訂正／復号ブロックは、再生されたＴＳパケットのデータの誤り訂正を行なうＲＳ（リードソロモン）復号手段を有し、
前記クロック信号供給停止手段は、前記ＲＳ復号手段の少なくとも一部分で使用されるクロック信号の供給経路上に設置される
ことを特徴とする請求項１記載のデジタル放送受信装置。
【請求項３】  前記ＲＳ復号手段は、誤りシンドロームを算出するシンドローム算出手段を備え、
前記クロック信号供給停止手段は、前記シンドローム算出手段に使用されるクロック信号の供給経路上に設置される
ことを特徴とする請求項２記載のデジタル放送受信装置。
【請求項４】  前記ＲＳ復号手段は、誤り位置および誤り数値を算出する誤り算出手段を備え、
前記クロック信号供給停止手段は、前記誤り算出手段に使用されるクロック信号の供給経路上に設置される
ことを特徴とする請求項２記載のデジタル放送受信装置。
【請求項５】  前記ＲＳ復号手段は、再生されたＴＳパケットのデータを誤り数値が算出されるまで遅延させるためのメモリを備え、
前記クロック信号供給停止手段は、前記メモリに使用されるクロック信号の供給経路上に設置される
ことを特徴とする請求項２記載のデジタル放送受信装置。
【請求項６】  前記誤り訂正／復号ブロックは、再生されたＴＳパケットのデータを各階層毎にバイトデインタリーブを行うバイトデインタリーブ手段を有し、
前記クロック信号供給停止手段は、前記バイトデインタリーブ手段で使用されるクロック信号の供給経路上に設置される
ことを特徴とする請求項１記載のデジタル放送受信装置。
【請求項７】  前記誤り訂正／復号ブロックは、再生されたＴＳパケットのデータを各階層毎にエネルギー逆拡散を行うエネルギー逆拡散手段を有し、
前記クロック信号供給停止手段は、前記エネルギー逆拡散手段で使用されるクロック信号の供給経路上に設置される
ことを特徴とする請求項１記載のデジタル放送受信装置。
【請求項８】  デジタルテレビジョン放送またはデジタル音声放送の受信信号の復調出力について、クロック信号の供給を受けて誤り訂正および復号処理を実施する誤り訂正／復号ブロックを備え、該誤り訂正／復号ブロックは、複数階層化されたＴＳパケットを各階層毎に分類して再生するＴＳパケット再生手段を有するデジタル放送受信装置であって、
前記ＴＳパケット再生手段は、再生するＴＳパケットの階層を示すＴＳ階層信号を出力し、
前記誤り訂正／復号ブロックは、再生されたＴＳパケットのデータに各階層毎にバイトデインタリーブを行うバイトデインタリーブ手段を有し、
前記バイトデインタリーブ手段における各階層で使用されるクロック信号の供給経路上に設置され、前記ＴＳ階層信号を受信した場合、前記ＴＳ階層信号で指定された階層のみにクロック信号を供給し、他の階層については供給を停止させるクロック信号供給選択手段
を備えることを特徴とするデジタル放送受信装置。
【請求項９】  デジタルテレビジョン放送またはデジタル音声放送の受信信号の復調出力について、クロック信号の供給を受けて誤り訂正および復号処理を実施する誤り訂正／復号ブロックを備え、該誤り訂正／復号ブロックは、複数階層化されたＴＳパケットを各階層毎に分類して再生するＴＳパケット再生手段を有するデジタル放送受信装置であって、
前記ＴＳパケット再生手段は、再生するＴＳパケットの階層を示すＴＳ階層信号を出力し、
前記誤り訂正／復号ブロックは、再生されたＴＳパケットのデータに各階層毎にエネルギー逆拡散を行うエネルギー逆拡散手段を有し、
前記エネルギー逆拡散手段における各階層で使用されるクロック信号の供給経路上に設置され、前記ＴＳ階層信号を受信した場合、前記ＴＳ階層信号で指定された階層のみにクロック信号を供給し、他の階層については供給を停止させるクロック信号供給選択手段
を備えることを特徴とするデジタル放送受信装置。
【請求項１０】  デジタルテレビジョン放送またはデジタル音声放送の受信信号の復調出力について、クロック信号の供給を受けて誤り訂正および復号処理を実施する誤り訂正／復号ブロックを備え、該誤り訂正／復号ブロックは、再生されたＴＳパケットのデータの誤り訂正を行なうＲＳ復号手段中に、誤りシンドロームを算出するシンドローム算出手段と、誤り位置および誤り数値を算出する誤り算出手段とを備えるデジタル放送受信装置であって、
前記シンドローム算出手段は、算出されたシンドローム値が誤りゼロである場合には、受信したパケットのデータに誤りが無いこと示す誤りゼロ信号を出力し、
前記誤り算出手段で使用されるクロック信号の供給経路上に設置され、前記誤りゼロ信号を受信した場合、クロック信号の供給を停止するクロック信号供給停止手段
を備えることを特徴とするデジタル放送受信装置。
【請求項１１】 デジタルテレビジョン放送またはデジタル音声放送の受信信号を復調出力するデジタル放送受信装置において、クロック信号の供給を受けて誤り訂正および復号処理を実施するステップを有し、該誤り訂正／復号ステップでは、複数階層化されたＴＳパケットを各階層毎に分類して再生する処理を実施する受信方法であって、
前記ＴＳパケット再生処理では、再生するＴＳパケットが時間調整用のＴＳヌル（無効）パケットである場合には、該パケットを示すヌルＴＳ信号を出力し、
前記ヌルＴＳ信号を受信した場合、前記誤り訂正／復号ステップにおける前記ＴＳパケット再生処理よりも後の少なくとも一つの処理に使用されるクロック信号の供給を停止する処理を実施する
ことを特徴とするデジタル放送受信装置の受信方法。
【請求項１２】 デジタルテレビジョン放送またはデジタル音声放送の受信信号を復調出力するデジタル放送受信装置において、クロック信号の供給を受けて誤り訂正および復号処理を実施するステップを有し、該誤り訂正/復号ステップでは、複数階層化されたＴＳパケットを各階層毎に分類して再生する処理を実施する受信方法であって、
前記ＴＳパケット再生処理では、再生するＴＳパケットの階層を示すＴＳ階層信号を出力し、
前記誤り訂正／復号ステップでは、再生されたＴＳパケットのデータに各階層毎にバイトデインタリーブ処理を行い、
前記ＴＳ階層信号を受信した場合、前記バイトデインタリーブ処理における各階層で使用されるクロック信号の供給経路において、前記ＴＳ階層信号で指定された階層のみにクロック信号を供給し、他の階層については供給を停止させる処理を実施する
ことを特徴とするデジタル放送受信装置の受信方法。
【請求項１３】 デジタルテレビジョン放送またはデジタル音声放送の受信信号を復調出力するデジタル放送受信装置において、クロック信号の供給を受けて誤り訂正および復号処理を実施するステップを有し、該誤り訂正／復号ステップでは、複数階層化されたＴＳパケットを各階層毎に分類して再生する処理を実施する受信方法であって、
前記ＴＳパケット再生処理では、再生するＴＳパケットの階層を示すＴＳ階層信号を出力し、
前記誤り訂正／復号ステップでは、再生されたＴＳパケットのデータに各階層毎にエネルギー逆拡散処理を行い、
前記ＴＳ階層信号を受信した場合、前記エネルギー逆拡散処理における各階層で使用されるクロック信号の供給経路において、前記ＴＳ階層信号で指定された階層のみにクロック信号を供給し、他の階層については供給を停止させる処理を実施する
ことを特徴とするデジタル放送受信装置の受信方法。
【請求項１４】 デジタルテレビジョン放送またはデジタル音声放送の受信信号を復調出力するデジタル放送受信装置において、クロック信号の供給を受けて誤り訂正および復号処理を実施するステップを有し、該誤り訂正／復号ステップでは、再生されたＴＳパケットのデータの誤り訂正を行なうＲＳ復号処理中に、誤りシンドロームを算出する処理を実施し、誤り位置および誤り数値を算出する処理を実施する受信方法であって、
前記誤りシンドローム算出処理では、算出されたシンドローム値が誤りゼロである場合には、受信したパケットのデータに誤りが無いこと示す誤りゼロ信号を出力し、
前記誤りゼロ信号を受信した場合、前記誤り位置及び数値算出処理で使用されるクロック信号の供給経路において、クロック信号の供給を停止する処理を実施する
ことを特徴とするデジタル放送受信装置の受信方法。